(57)【特許請求の範囲】
【請求項１】
刃体を組み付けた替刃カートリッジと、この替刃カートリッジが取り付けられる頭部を有するホルダとを備え、
前記ホルダの頭部にあっては、弾性を有する両可動支点部をその弾性により互いに離間させて配設するとともに、弾性を有するプッシャをその弾性によりこの両可動支点部間で突出させ、
前記替刃カートリッジにあっては、両固定支点部を互いに離間させて配設するとともに、押接部をこの両固定支点部間で設け、
前記両可動支点部をその弾性力に抗して互いに接近させて前記両固定支点部間に挿入し、その挿入状態でこの両可動支点部を弾性力により互いに離間させてこの両固定支点部に対し回動可能に支持し、この支持状態で前記プッシャをその弾性力により前記押接部に圧接し、前記替刃カートリッジを前記ホルダに対し首振り自在に取り付けた
剃刀において、
前記替刃カートリッジの両固定支点部にあっては、両固定支持腕部を突設するとともに、この両固定支持腕部の相対向内側部には前記首振り時の回動中心線を中心として円弧状に延びる案内溝を形成し、
前記頭部の両可動支点部にあっては、両可動支持腕部を突設するとともに、前記両固定支持腕部の相対向内側部に面する両可動支持腕部の外側部には前記首振り時の回動中心線を中心として円弧状に延びる案内突条を形成し、
前記両可動支持腕部の案内突条を前記両固定支持腕部の案内溝に係入するとともに、前記押接部を前記プッシャにより圧接した状態で、前記替刃カートリッジを前記頭部に対する一定の静止位置から頭部に対し前記回動中心線を中心とする首振り方向へ傾動し得るように前記案内突条と案内溝とで保持し、
前記両固定支持腕部の案内溝に許容溝を形成するとともに、前記両可動支持腕部の案内突条に規制突部を形成し、前記頭部に対し前記替刃カートリッジを正向きで取り付けた場合にのみ、この規制突部をこの許容溝に係入可能に設定した
ことを特徴とする剃刀における替刃カートリッジの支持構造。
【請求項２】
前記許容溝は、前記規制突部に当接して替刃カートリッジの首振り傾動範囲を設定するストッパ部を有していることを特徴とする請求項１に記載の剃刀における替刃カートリッジの支持構造。
【発明の詳細な説明】
【０００１】
【発明の属する技術分野】
この発明は、ホルダに対し替刃カートリッジを首振り自在に取り付けた剃刀において、その替刃カートリッジの支持構造に関するものである。
【０００２】
【従来の技術】
例えば、特公平３ー５７７９１号公報に示す剃刀においては、替刃カートリッジをホルダに対し首振り自在に取り付けるための支持構造（同公報の図面中特に図９参照）が開示されている。
【０００３】
【発明が解決しようとする課題】
このような剃刀においては、替刃カートリッジをホルダの頭部に対し取り付ける場合、その取付け向きを誤ることが起こり得た。
【０００４】
本発明は、替刃カートリッジをホルダの頭部に対し取り付ける場合、その取付け向きを誤らないようにするための替刃カートリッジ位置決め機構を提供するとともに、既存の構成を有効に兼用してこの位置決め機構を簡単にすることを目的にしている。
【０００５】
【課題を解決するための手段】
後記実施形態の図面（図１〜４）の符号を援用して本発明を説明する。
請求項１の発明にかかる剃刀は、下記のように構成さている。
【０００６】
この剃刀は、刃体（１０）を組み付けた替刃カートリッジ（２）と、この替刃カートリッジ（２）が取り付けられる頭部（４）を有するホルダ（１）とを備えている。前記ホルダ（１）の頭部（４）にあっては、弾性を有する両可動支点部（５）をその弾性により互いに離間させて配設するとともに、弾性を有するプッシャ（６）をその弾性によりこの両可動支点部（５）間で突出させている。前記替刃カートリッジ（２）にあっては、両固定支点部（１３）を互いに離間させて配設するとともに、押接部（１４）をこの両固定支点部（１３）間で設けている。前記両可動支点部（５）をその弾性力に抗して互いに接近させて前記両固定支点部（１３）間に挿入し、その挿入状態でこの両可動支点部（５）を弾性力により互いに離間させてこの両固定支点部（１３）に対し回動可能に支持し、この支持状態で前記プッシャ（６）をその弾性力により前記押接部（１４）に圧接し、前記替刃カートリッジ（２）を前記ホルダ（１）に対し首振り自在に取り付ける。
【０００７】
前記替刃カートリッジ（２）の両固定支点部（１３）にあっては、両固定支持腕部（１５）を突設するとともに、この両固定支持腕部（１５）の相対向内側部には前記首振り時の回動中心線（Ｃ）を中心として円弧状に延びる案内溝（１９）を形成している。前記頭部（４）の両可動支点部（５）にあっては、両可動支持腕部（２０）を突設するとともに、前記両固定支持腕部（１５）の相対向内側部に面する両可動支持腕部（２０）の外側部には前記首振り時の回動中心線（Ｃ）を中心として円弧状に延びる案内突条（２２）を形成している。前記両可動支持腕部（２０）の案内突条（２２）を前記両固定支持腕部（１５）の案内溝（１９）に係入するとともに、前記押接部（１４）を前記プッシャ（６）により圧接した状態で、前記替刃カートリッジ（２）を前記頭部（４）に対する一定の静止位置（Ｎ）から頭部（４）に対し前記回動中心線（Ｃ）を中心とする首振り方向へ傾動し得るように前記案内突条（２２）と案内溝（１９）とで保持する。
【０００８】
前記両固定支持腕部（１５）の案内溝（１９）に許容溝（２４）を形成するとともに、前記両可動支持腕部（２０）の案内突条（２２）に規制突部（２３）を形成し、前記頭部（４）に対し前記替刃カートリッジ（２）を正向き（Ｐ）で取り付けた場合にのみ、この規制突部（２３）をこの許容溝（２４）に係入可能に設定した。
【０００９】
請求項２の発明は、請求項１の発明に下記の構成を追加している。
前記許容溝（２４）は、前記規制突部（２３）に当接して替刃カートリッジ（２）の首振り傾動範囲を設定するストッパ部（２４ａ，２４ｂ）を有している。
【００１０】
【発明の実施形態】
以下、本発明の一実施形態にかかるＴ型剃刀を図面を参照して説明する。
＜Ｔ型剃刀の概要＞
図１（ｂ）に示すように、Ｔ型剃刀はホルダ１と替刃カートリッジ２とからなる。このホルダ１は、上下に細長い把持柄３（上部のみ図示）と、その把持柄３の上端部に設けられた頭部４とを有している。
【００１１】
前記ホルダ１の頭部４の前面にあっては、その左右両側で両可動支点部５（後で詳述）が左右方向へ互いに離間されて配設され、この両可動支点部５間でプッシャ６が前方へ突出している。図示しないが、この頭部４内には、両可動支点部５を弾性により互いに離間させる機構と、プッシャ６を弾性により突出させる機構とが設けられている。この両可動支点部５は弾性力に抗して互いに接近し得る。このプッシャ６は弾性力に抗して頭部４内へ移動し得る。
【００１２】
図４（ａ）に示すように、前記替刃カートリッジ２においては、ガード８とひげかす排除孔９とを有する刃台７に各刃体１０と各スペーサ１１とが重合されて刃台７と天板１２との間で挟着され、各刃体１０の刃先１０ａがこのひげかす排除孔９側に露出している。
【００１３】
図１（ｂ）に示すように、前記替刃カートリッジ２の刃台７の後面（各刃体１０に対する反対側で前記ホルダ１の頭部４の前面に対向する面）にあっては、その左右両側で両固定支点部１３（後で詳述）が互いに離間されて配設され、この両固定支点部１３間で押接部１４が突設されている。
【００１４】
前記両可動支点部５をその弾性力に抗して互いに接近させて前記両固定支点部１３間に挿入し、その挿入状態でこの両可動支点部５を弾性力により互いに離間させてこの両固定支点部１３に対し回動可能に支持し、この支持状態で前記プッシャ６をその弾性力により前記押接部１４に圧接すると、図１（ａ）に示すように、前記替刃カートリッジ２は、この両可動支点部５と両固定支点部１３とによる回動中心線Ｃを中心として傾動し得る状態で、前記ホルダ１の頭部４に対し首振り自在に取り付けられる。この替刃カートリッジ２の首振り方向は、各刃体１０の刃先１０ａの延設方向（前記回動中心線Ｃと平行な左右方向）に対し直交する面（前後方向を含む平面）に沿う。
【００１５】
特に、前記可動支点部５と固定支点部１３とには、後で詳述するように、替刃カートリッジ２をホルダ１の頭部４に対し取り付ける場合、その取付け向きを誤らないようにするための替刃カートリッジ位置決め機構Ｍ（図４参照）が設けられている。
【００１６】
＜前記替刃カートリッジ２の固定支点部１３＞
この両固定支点部１３にあっては、それぞれ、図１，２に示すように固定支持腕部１５が突設されている。この両固定支持腕部１５は、側板部１６と、この側板部１６の内側で刃台７から突設された台部１７と、この台部１７に面して側板部１６から突設された爪部１８とからなる。図３，４に示すように、この両支持腕部１５の相対向内側部では、側板部１６と台部１７と爪部１８とにより囲まれた案内溝１９が形成されている。この案内溝１９は、前記首振り時の回動中心線Ｃを中心として円弧状に延び、台部１７に形成された円弧面１９ａ（回動中心線Ｃを中心とする所定半径Ｄ17の案内面）と、爪部１８に形成された円弧面１９ｂ（回動中心線Ｃを中心とする所定半径Ｄ18の案内面）とを有している。この円弧面１９ａと円弧面１９ｂとは案内溝１９の底部の前後両側で相対向して延設されている。なお、台部１７の円弧面１９ａの周方向中央部に爪部１８の円弧面１９ｂが対向し、この円弧面１９ｂの円周角度がこの円弧面１９ａの円周角度よりも小さくなっているとともに、この円弧面１９ａの左右方向幅がこの円弧面１９ｂの左右方向幅よりも大きくなっている。
【００１７】
＜前記頭部４の可動支点部５＞
この両可動支点部５にあっては、それぞれ、図１，２に示すように両可動支持腕部２０が突設されている。この両可動支持腕部２０は、台部２１と、前記両固定支持腕部１５の相対向内側部に面するこの台部２１の外側部で突設された案内突条２２とからなる。この案内突条２２は、前記首振り時の回動中心線Ｃを中心として円弧状に延びる。この台部２１及び案内突条２２の前側にはそれぞれ回動中心線Ｃを中心とする所定半径Ｄ21，Ｄ22の円弧面２１ａ，２２ａ（案内面）が一連に並設され、この案内突条２２の後側には回動中心線Ｃを中心とする所定半径Ｄ22の円弧面２２ｂ（案内面）が形成されている。この円弧面２１ａの所定半径Ｄ21とこの円弧面２２ａの所定半径Ｄ22と前記台部１７の円弧面１９ａの半径Ｄ17とはほぼ同一になっているとともに、この円弧面２２ｂの所定半径Ｄ22と前記爪部１８の円弧面１９ｂの所定半径Ｄ18とはほぼ同一になっている。
【００１８】
＜前記固定支点部１３と可動支点部５との支持状態＞
図１（ａ）及び図２（ａ）に示すように、前記両可動支持腕部２０の案内突条２２を前記両固定支持腕部１５の案内溝１９に係入するとともに、前記押接部１４を前記プッシャ６により圧接すると、図３（ａ）（ｂ）（ｃ）及び図４（ａ）に示すように、両可動支持腕部２０の台部２１及び案内突条２２の円弧面２１ａ，２２ａがこの案内溝１９の円弧面１９ａに摺接するとともに、この案内突条２２の円弧面２２ｂがこの案内溝１９の円弧面１９ｂに摺接する。前記替刃カートリッジ２が前記ホルダ１の頭部４に対する一定の静止位置（中立位置Ｎ）から頭部４に対し前記回動中心線Ｃを中心とする首振り方向へ傾動し得るように、替刃カートリッジ２は頭部４に対し前記案内突条２２と案内溝１９とで保持される。
【００１９】
＜替刃カートリッジ位置決め機構Ｍ＞
図１（ｂ）に示すように、前記両可動支持腕部２０の案内突条２２の端部には規制突部２３が形成されている。この規制突部２３は、両可動支点部５がその弾性力により互いに離間する向きへ突出し、この規制突部２３を含む案内突条２２の左右方向幅は、この規制突部２３のない案内突条２２の左右方向幅よりも大きくなっている。
【００２０】
図４（ａ）に示すように、前記両固定支持腕部１５の案内溝１９の底部において、許容溝２４が形成されているとともに、この許容溝２４に隣接して規制面２５が段差状に形成されている。この許容溝２４は、両可動支点部５がその弾性力により互いに離間する向きである前記規制突部２３の突出向きへ凹設されている。この許容溝２４の両端部はストッパ部２４ａ，２４ｂにより閉塞されている。
【００２１】
図１（ａ）及び図２（ａ）に示すように、前記ホルダ１の頭部４に対し前記替刃カートリッジ２を正向きＰ（各刃体１０の刃先１０ａが下向きになる状態）で取り付けた場合には、図４（ａ）に示すように、前記両規制突部２３が前記両許容溝２４に係入され、前記両案内突条２２も前記両案内溝１９に係入される。従って、替刃カートリッジ２は、前述したようにホルダ１の頭部４に対し首振り方向へ傾動し、規制突部２３が両許容溝２４の両ストッパ部２４ａ，２４ｂに当接して停止する。
【００２２】
一方、図２（ｂ）に示すように、前記ホルダ１の頭部４に対し前記替刃カートリッジ２を前記正向きＰで取り付けた場合以外の誤向きＱ（各刃体１０の刃先１０ａが上向きになる状態）で取り付けた場合には、図４（ｂ）に示すように、前記両規制突部２３が前記両規制面２５に当接するため、前記両案内溝１９に対する前記両案内突条２２の係入が阻止される。従って、替刃カートリッジ２をホルダ１の頭部４に取り付けることができない。
【００２３】
＜本実施形態の特徴＞
本実施形態は下記＊の特徴（後記する他の技術的思想以外）を有する。
＊  前述した替刃カートリッジ位置決め機構Ｍにより、ホルダ１の頭部４に対する替刃カートリッジ２の取付け向きを誤ることなく、その取付けを容易に行うことができる。
【００２４】
＊  この替刃カートリッジ位置決め機構Ｍを構成するにあたり、既存の案内突条２２及び案内溝１９を有効に兼用して、規制突部２３や許容溝２４や規制面２５を形成している。そのため、この案内突条２２や案内溝１９以外の部位に位置決め機構Ｍを形成する必要がなくなる。従って、この位置決め機構Ｍを簡単にすることができる。
【００２５】
＊  替刃カートリッジ２の首振り傾動範囲を設定するにあたり、位置決め機構Ｍの規制突部２３及び許容溝２４の内端面（ストッパ部２４ａ，２４ｂ）を有効に兼用している。従って、傾動範囲規制機構を簡単にすることができる。
【００２６】
〔他の実施形態〕
前記実施形態以外にも下記＊のように構成してもよい。
＊  前記ホルダ１の頭部４に配設した両可動支点部５については、この頭部４から延設した板ばね部と一体的に設け、この板ばね部の弾性により互いに離間させる。
【００２７】
＊  前記ホルダ１の頭部４に設けたプッシャ６については、この頭部４から延設した板ばね部と一体的に設け、この板ばね部の弾性により突出させる。
＊  替刃カートリッジ２については、三枚刃以外に、二枚刃や一枚刃のものに変更する。
【００２８】
〔他の技術的思想〕
実施形態から把握できる技術的思想（請求項以外）を記載する。
（イ）  請求項１または請求項２において、両固定支持腕部１５の案内溝１９は、頭部４に対し替刃カートリッジ２を正向きＰで取り付けた場合以外の誤向きＱで、両可動支持腕部２０の案内突条２２の規制突部２３が当接してこの案内溝１９に対するこの案内突条２２の係入を阻止する規制面２５を有している。
【００２９】
（ロ）  上記（イ）において、案内溝１９は、底部の両側で相対向して延設された両案内面（円弧面１９ａ及び円弧面１９ｂ）を有し、案内突条２２は、この両案内面（円弧面１９ａ及び円弧面１９ｂ）と摺接する両案内面（円弧面２２ａ及び円弧面２２ｂ）を有し、この案内溝１９の底部で許容溝２４と規制面２５とが段差状に形成されている。
【００３０】
（ハ）  請求項１または請求項２または上記（イ）または上記（ロ）において、両可動支持腕部２０の案内突条２２の規制突部２３は、両可動支点部５がその弾性力により互いに離間する向きへ突設され、前記両固定支持腕部１５の案内溝１９の許容溝２４は、この向きへ凹設されている。
【００３１】
（ニ）  請求項１または請求項２または上記（イ）または上記（ロ）または上記（ハ）において、替刃カートリッジ２の首振り方向は、刃体１０の刃先１０ａの延設方向に対し直交する面に沿う。
【００３２】
【発明の効果】
請求項１の発明にかかる剃刀によれば、所定の替刃カートリッジ位置決め機構（Ｍ）によりホルダ（１）の頭部（４）に対する替刃カートリッジ（２）の取付けをその取付け向きを誤ることなく容易に行うことができるばかりではなく、その位置決め機構（Ｍ）を簡単にすることができる。
【００３３】
請求項２の発明によれば、請求項１の発明の効果に加え、替刃カートリッジ（２）の傾動範囲を規制する機構を簡単にすることができる。
【図面の簡単な説明】
【図１】  （ａ）は本実施形態にかかるＴ型剃刀においてホルダに対し替刃カートリッジを組み付けた状態を示す部分斜視図であり、（ｂ）は同じくホルダに対し替刃カートリッジを分離した状態を示す部分斜視図である。
【図２】  （ａ）は替刃カートリッジの正向き組付け状態を示す図１（ａ）の部分平面図であり、（ｂ）は替刃カートリッジの誤向き組付け状態を示す部分平面図である。
【図３】  （ａ）は図２（ａ）のＸ1 −Ｘ1 線断面図であり、（ｂ）は図２（ａ）のＸ2 −Ｘ2 線断面図であり、（ｃ）は図２（ａ）のＸ3 −Ｘ3 線断面図である。
【図４】  （ａ）は図２（ａ）のＹ1 −Ｙ1 線断面図であり、（ｂ）は図２（Ｂ）のＹ2 −Ｙ2 線断面図である。
【符号の説明】
１…ホルダ、２…替刃カートリッジ、４…頭部、５…可動支点部、６…プッシャ、１０…刃体、１３…固定支点部、１４…押接部、１５…固定支持腕部、１９…案内溝、２０…可動支持腕部、２２…案内突条、２３…規制突部、２４…許容溝、２４ａ，２４ｂ…ストッパ部、２５…規制面、Ｃ…回動中心線、Ｐ…正向き、Ｑ…逆向き。
【図１】
0004264151.tif 000002
【図２】
0004264151.tif 000003
【図３】
0004264151.tif 000004
【図４】
0004264151.tif 000005